(57)【要約】【課題】振動を受けても浴槽内の水が浴槽外に流出し難い浴槽を提供する。【解決手段】浴槽１は、底面２と内側面３とを有する。内側面３は、底面２の周囲に形成されている。内側面３は、その上縁３ｕと底面２との間の位置に浴槽内側に張り出した凸部４が形成されている。凸部４は、上下方向の幅を有し、浴槽周方向に長い長尺状である。これにより、内側面３に沿って上昇する水の流速が、浴槽内側に張り出した凸部４によって弱められる。【選択図】図１
2018121703.tif 000002
【特許請求の範囲】
【請求項１】
底面と、その底面の周囲に形成された内側面とを有する浴槽であって、
前記内側面は、その上縁と前記底面との間の位置に浴槽内側に張り出した凸部が形成され、
前記凸部は、上下方向の幅を有し、浴槽周方向に長い長尺状であることを特徴とする浴槽。
【請求項２】
前記内側面は、水平方向に長い１対の長手面と、１対の前記長手面を接続する第１短手面及び第２短手面とを有し、
前記凸部は、前記各長手面に形成された長手凸部を有し、
前記長手凸部は、略四角形の断面形状を有し、略水平の凸部下面と、略水平の凸部上面と、浴槽内側に張り出して前記凸部下面及び凸部上面を接続する張出面とを有することを特徴とする請求項１に記載の浴槽。
【請求項３】
前記凸部は、前記第１短手面に形成された短手凸部を有し、
前記短手凸部は、略三角形の断面形状を有し、略水平の凸部下面と、浴槽内側に斜め下方に張り出して前記凸部下面に接続する張出面とを有することを特徴とする請求項２に記載の浴槽。
【請求項４】
前記長手凸部の凸部上面は、張り出し幅が前記短手凸部に向かって次第に狭くなる漸狭部を有し、
前記長手凸部は、前記短手凸部に接続され、
前記長手凸部の張出面は、前記短手凸部の張出面に接続し、
前記長手凸部の凸部下面は、前記短手凸部の凸部下面に接続することを特徴とする請求項３に記載の浴槽。
【請求項５】
前記第２短手面より浴槽内側に略鉛直の消波壁を備え、
前記消波壁は、その第２短手面と対向して離間する壁であり、複数の貫通孔を有し、
前記消波壁の上端は、その第２短手面の上縁より低く設定されることを特徴とする請求項３又は請求項４に記載の浴槽。
【請求項６】
前記消波壁は、前記各々の貫通孔の周縁から前記第２短手面に向けて延びる筒部を有し、
前記筒部は、その先端が前記第２短手面から離れていることを特徴とする請求項５に記載の浴槽。
【請求項７】
前記消波壁の上方に、浴槽内側に延出した板状部材が設けられ、
前記消波壁は、前記板状部材との間に開口を有することを特徴とする請求項５又は請求項６に記載の浴槽。
【請求項８】
前記内側面の上縁に、浴槽内側に張り出した波返し縁を有することを特徴とする請求項１乃至請求項７のいずれか一項に記載の浴槽。
【発明の詳細な説明】
【技術分野】
【０００１】
本発明は、浴槽、特に、鉄道車両等の輸送用設備に搭載される浴槽に関する。
【背景技術】
【０００２】
入浴用の浴槽は、建物内又は建物の近くに設けられ、動かないことが一般的である。浴槽を移動可能にしたものとしては、移動入浴車が知られている（例えば、特許文献１参照）。移動入浴車は、ワンボックス車の荷室の内部に、浴槽、貯水タンク、ボイラー、ポンプ等の入浴用設備機器を搭載している。訪問入浴介護において、移動入浴車に搭載された浴槽等の入浴用設備機器を訪問先の住宅に運び込み、入浴者を入浴させている。したがって、訪問入浴介護においては、浴槽は、入浴中には移動しない。
【０００３】
旅行においては、移動中に入浴するニーズが高まっており、そのニーズに応えることができれば、旅行の魅力が向上する。しかし、鉄道車両等の輸送用設備に浴槽を搭載すると、輸送用設備の移動時に発生する振動によって、浴槽内の湯（水）が揺れて、浴槽外に流出する。輸送用設備は、移動中に地上から水を供給することができず、浴槽への給湯量が限られるため、浴槽の搭載は困難であった。
【０００４】
従来から、浴槽からあふれた湯を回収する装置が知られている（例えば、特許文献２参照）。しかし、このような装置は、輸送用設備に搭載する場合には、浴槽の全周からあふれる湯を回収して浴槽に還流させる必要があるので、装置が大掛かりになり、輸送用設備に搭載することは容易ではない。
【０００５】
浴槽外への湯の流出防止を図った浴槽として、浴槽開口部を内側に波返し状湾曲形状とした介護用浴槽が知られている（特許文献３参照）。この介護用浴槽は、入浴中に生じる湯の波動やうねり・跳びはねにより浴槽内の湯が浴槽外に流出することを防止している。しかし、このような対策は、浴槽自体は動かないことを前提としており、浴槽が振動することに対する湯の流出防止としては十分ではない。
【０００６】
フラスコ内の試料を加熱しながら撹拌するための液槽において、液槽内の液体（熱媒）の波立ちや飛散の防止を図ったものが知られている（特許文献４参照）。この液槽は、網又は小孔を有する板が槽内周縁部に隣接して設けられている（実用新案登録請求の範囲及び図−１乃至図６参照）。しかし、もし、このような網等を入浴用の浴槽に設けると、浴槽内の入浴者の体（胴体）が網等に触れるので、肌ざわりが著しく良くない。また、浴槽内に小孔を有する板を全周にわたって設けた場合、その板を清掃する作業の負担が大きくなるとともに、入浴者がその板の裏面について衛生上の懸念を抱くおそれがある。
【０００７】
図１２に示すように、内側面３の傾斜が緩やかな形状の浴槽では、矢印で示すように、浴槽内の湯が内側面３を上がって行き易い。このため、浴槽の内側面を全て鉛直にすることによって内側面を湯が上がって行くことを抑制する対策がある。しかし、このような対策では、浴槽のデザインを著しく制約する。また、浴槽の内側面を全て鉛直にすると、入浴者が浴槽内で内側面に斜めにもたれることが難しくなる。
【先行技術文献】
【特許文献】
【０００８】
【特許文献１】特開２００３−１２７７５０号公報
【特許文献２】特開平１０−２２５３９２号公報
【特許文献３】特開平１１−１７８８８０号公報
【特許文献４】実開昭６１−６７８４０号公報
【発明の概要】
【発明が解決しようとする課題】
【０００９】
本発明は、上記問題を解決するものであり、振動を受けても浴槽内の水が浴槽外に流出し難い浴槽を提供することを目的とする。
【課題を解決するための手段】
【００１０】
本発明の浴槽は、底面と、その底面の周囲に形成された内側面とを有するものであって、前記内側面は、その上縁と前記底面との間の位置に浴槽内側に張り出した凸部が形成され、前記凸部は、上下方向の幅を有し、浴槽周方向に長い長尺状であることを特徴とする。
【００１１】
この浴槽において、前記内側面は、水平方向に長い１対の長手面と、１対の前記長手面を接続する第１短手面及び第２短手面とを有し、前記凸部は、前記各長手面に形成された長手凸部を有し、前記長手凸部は、略四角形の断面形状を有し、略水平の凸部下面と、略水平の凸部上面と、浴槽内側に張り出して前記凸部下面及び凸部上面を接続する張出面とを有することが好ましい。
【００１２】
この浴槽において、前記凸部は、前記第１短手面に形成された短手凸部を有し、前記短手凸部は、略三角形の断面形状を有し、略水平の凸部下面と、浴槽内側に斜め下方に張り出して前記凸部下面に接続する張出面とを有することが好ましい。
【００１３】
この浴槽において、前記長手凸部の凸部上面は、張り出し幅が前記短手凸部に向かって次第に狭くなる漸狭部を有し、前記長手凸部は、前記短手凸部に接続され、前記長手凸部の張出面は、前記短手凸部の張出面に接続し、前記長手凸部の凸部下面は、前記短手凸部の凸部下面に接続することが好ましい。
【００１４】
この浴槽において、前記第２短手面より浴槽内側に略鉛直の消波壁を備え、前記消波壁は、その第２短手面と対向して離間する壁であり、複数の貫通孔を有し、前記消波壁の上端は、その第２短手面の上縁より低く設定されることが好ましい。
【００１５】
この浴槽において、前記消波壁は、前記各々の貫通孔の周縁から前記第２短手面に向けて延びる筒部を有し、前記筒部は、その先端が前記第２短手面から離れていることが好ましい。
【００１６】
この浴槽において、前記消波壁の上方に、浴槽内側に延出した板状部材が設けられ、前記消波壁は、前記板状部材との間に開口を有することが好ましい。
【００１７】
この浴槽において、前記内側面の上縁に、浴槽内側に張り出した波返し縁を有することが好ましい。
【発明の効果】
【００１８】
本発明の浴槽によれば、内側面に沿って上昇する水の流速が、浴槽内側に張り出した凸部によって弱められるので、浴槽内の水が浴槽外に流出し難くなる。
【図面の簡単な説明】
【００１９】
【図１】本発明の一実施形態に係る浴槽の斜視図。
【図２】同浴槽の平面図。
【図３】同浴槽の側面図。
【図４】同浴槽の体側（頭側）を見た断面図（図３のＡ−Ａ線断面図）。
【図５】同浴槽の足側を見た断面図（図３のＢ−Ｂ線断面図）。
【図６】同浴槽の体側を側面から見た断面図（図４のＣ−Ｃ線断面図）。
【図７】同浴槽の足側を見下ろした斜視図。
【図８】同浴槽の消波壁の断面図。
【図９】同消波壁の正面図。
【図１０】同浴槽における凸部付近の水の移動を説明する図（図４の右側の部分断面図）。
【図１１】同浴槽における消波壁付近の水の移動を説明する図。
【図１２】従来の浴槽を側方から見た断面図。
【図１３】従来の浴槽内の水の移動を説明する図（図１２の右側の部分断面図）。
【発明を実施するための形態】
【００２０】
本発明の一実施形態に係る浴槽を図１乃至図１１を参照して説明する。図１及び図２に示すように、浴槽１は、底面２と内側面３とを有する。内側面３は、底面２の周囲に形成されている。なお、図３に示すように、側面視で内側面３の傾斜が非対称の場合、入浴者は、通常、頭及び胴体を傾斜が緩やかな側（図３の右側）、足を傾斜が急な側（図３の左側）に向けて浴槽１に入るので、内側面３の傾斜が緩やかな側は、頭側又は体側、その反対側は、足側と呼ばれる。なお、側面視で内側面の傾斜が対称の場合、オーバーフロー管が設けられている側が足側である。
【００２１】
図４乃至図６に示すように、内側面３は、その上縁３ｕと底面２との間の位置に浴槽内側に張り出した凸部４が形成されている。凸部４は、上下方向の幅を有し、浴槽周方向に長い長尺状である。
【００２２】
内側面３は、水平方向に長い１対の長手面３１と、１対の前記長手面を接続する第１短手面３２及び第２短手面３３とを有する（図２参照）。凸部４は、各長手面３１に形成された長手凸部４１を有する（図４及び図５参照）。長手凸部４１は、略四角形の断面形状を有し、略水平の凸部下面４１ａと、略水平の凸部上面４１ｂと、張出面４１ｃとを有する（図４参照）。張出面４１ｃは、浴槽内側に張り出して凸部下面４１ａ及び凸部上面４１ｂを接続する。
【００２３】
凸部４は、第１短手面３２に形成された短手凸部４２を有する（図６参照）。短手凸部４２は、略三角形の断面形状を有し、略水平の凸部下面４２ａと、張出面４２ｃとを有する。張出面４２ｃは、浴槽内側に斜め下方に張り出して凸部下面４２ａに接続する。
【００２４】
長手凸部４１の凸部上面４１ｂは、張り出し幅が短手凸部４２に向かって次第に狭くなる漸狭部４１ｄを有する（図１参照）。長手凸部４１は、短手凸部４２に接続される。長手凸部４１の張出面４１ｃは、短手凸部４２の張出面４２ｃに接続する。長手凸部４１の凸部下面４１ａは、短手凸部４２の凸部下面に４２ａ接続する。
【００２５】
図７乃至図９に示すように、浴槽１は、第２短手面３３より浴槽内側に略鉛直の消波壁５を備える。消波壁５は、その第２短手面３３と対向して離間する壁であり、複数の貫通孔５１を有する（図８参照）。消波壁５の上端５ｕは、その第２短手面３３の上縁３３ｕより低く設定される。
【００２６】
消波壁５は、各々の貫通孔５１の周縁から第２短手面３３に向けて延びる筒部５２を有する。筒部５２は、その先端が第２短手面３３から離れている。
【００２７】
浴槽１は、消波壁５の上方に、浴槽内側に延出した板状部材６が設けられる（図７参照）。消波壁５は、板状部材６との間に開口５３を有する。
【００２８】
浴槽１は、内側面３の上縁３ｕに、浴槽内側に張り出した波返し縁７を有する。
【００２９】
浴槽１の各構成をさらに詳述する。本実施形態では、浴槽１は、内側面３の傾斜が緩やかな欧風タイプの浴槽形状を有する（図３参照）。特に第１短手面３２の傾斜が緩やである。底面２には、排水口２１及び排水せん２２が設けられている（図２参照）。第２短手面３３には、オーバーフロー管３４が設けられている（図５参照）。
【００３０】
第１短手面３２は、浴槽１に入浴者が入った状態で、通常、入浴者の背中が接する面である（図２参照）。第２短手面３３は、浴槽内で第１短手面３２と向かい合う面である。長手面３１は、通常、入浴者の側面に近い面である。本実施形態の浴槽１では、長手面３１と第１短手面３２、長手面３１と第２短手面３３は、それぞれ滑らかに接続される。
【００３１】
第１短手面３２の短手凸部４２が略三角形の断面形状を有し、略水平の上面を有しないのは、入浴者の背中に短手凸部４２の角が当たって不快感を生じないようにするためである（図６参照）。入浴者が第１短手面にもたれた時、入浴者の腰椎カーブによる背中の凹部の位置が、短手凸部４２の位置に対応するように、短手凸部４２の底面２からの高さが設定される。このような設定により、入浴者の背中に短手凸部４２が当たる感覚が回避又は低減される。
【００３２】
長手凸部４１は、略四角形の断面形状を有し、短手凸部４２は、略三角形の断面形状を有する（図１参照）。長手凸部４１の凸部上面４１ｂは、漸狭部４１ｄを有するので、長手凸部４１は、短手凸部４２に連続的に接続される。長手凸部４１は、漸狭部４１ｄを有する部分の断面形状が略台形であり、それ以外の部分の断面形状が略長方形である。なお、略四角形とは、数学的に厳密な四角形である必要はなく、頂点に丸み（アール）又は面取りを有する実質的な四角形である。略三角形とは、数学的に厳密な三角形である必要はなく、頂点に丸み等を有する実質的な三角形である。略台形とは、数学的に厳密な台形である必要はなく、頂点に丸み等を有する実質的な台形である。略長方形とは、数学的に厳密な長方形である必要はなく、頂点に丸み等を有する実質的な長方形である。
【００３３】
消波壁５は、略鉛直に浴槽内に設けられる板状の壁であり、浴槽内の水（湯）に生じる波を低減するために設けられるので、消波壁を呼ばれる（図７及び図８参照）。消波壁５には、複数の貫通孔５１が千鳥状に配置されている。貫通孔５１の形状は、円である。筒部５２は、円筒である。貫通孔５１は、スリット状等の円以外の形状でもよい。本実施形態のように、欧風タイプの浴槽の場合、浴槽１の上面は、足側が低くデザインされたものが多い。そのような浴槽１では、足側が体側に比べて水が流出しやすい。このため、消波壁５は、浴槽１の足側に設けられる。消波壁５は、複数の貫通孔５１を有するが、足側に設けられるので、入浴者の胴体に触れず、浴槽１の肌触りを損なわない。
【００３４】
板状部材６は、浴槽１の一部を蓋のように覆い、浴槽内の水に生じる波を抑えるために設けられるので、波抑え蓋とも呼ばれる。前述したように、浴槽１では、足側が体側に比べて水が流出しやすい。このため、板状部材６は、幅が広く形成され、足側に設けられる。また、板状部材６は、その上に入浴中に使用する物を置くことができるようにデザインされる。本実施形態では、消波壁５は、板状部材６に支持される。
【００３５】
波返し縁７は、内側面３を上昇する波に対して、水の流出を抑制する張り出し部であり、内側面３の上縁、すなわち浴槽１上部の縁に全周にわたって設けられる（図１及び図２参照）。
【００３６】
上記のように構成された浴槽１は、鉄道車両等に搭載され、水（湯）が入った状態で振動を受ける。
【００３７】
比較のために、従来の浴槽における水の流れについて説明する。図１３に示すように、従来の浴槽が矢印ｄで示す左方向に変位した時、もし、水ｗ１も浴槽と一緒に左に変位すれば、水面は水平のまま変わらない。しかし、浴槽内の水は慣性があるため、浴槽と一緒には変位できず、その一部は、内側面３に押され、白抜き矢印で示すように、内側面３に沿って上昇する水ｗ２となる。このため、浴槽から水が溢れる。なお、浴槽が鉄道車両に搭載された場合、矢印ｄで示す変位量は、車両動揺の幅である。
【００３８】
本実施形態の浴槽１における凸部４の作用について説明する。図１０に示すように、本実施形態の浴槽１が矢印ｄで左方向に変位した時、長手凸部４１の凸部下面４１ａと底面２との間の水ｗは、慣性があるため、浴槽と一緒には変位できず、その一部は、長手面３１に押され、長手面３１に沿って上昇する（矢印Ａ１）。その水の流れの向きは、凸部下面４１ａに沿って浴槽内側に変化する。慣性によって相対的に長手面３１に向かおうとする流れ（矢印Ａ２）は、浴槽内側に向かう流れ（矢印Ａ１）によって弱められる。長手凸部４１の張出面４１ｃに沿って上昇する流れ（矢印Ａ３）は、張出面４１ｃが長手上面４１ｂに接続する箇所において、上昇を続ける流れ（矢印Ａ４）と長手上面４１ｂに沿って長手面３１に向かう流れ（矢印Ａ５）に分流するので、流速が低減する。
【００３９】
同様に、短手凸部４２の凸部下面４２ａと底面２との間の水は、流れの向きが凸部下面４２ａに沿って浴槽内側に変化する（図６参照）。
【００４０】
このように、本実施形態の浴槽１によれば、内側面３に沿って上昇する水の流速が、浴槽内側に張り出した凸部４によって弱められるので、浴槽内の水が浴槽外に流出し難くなる。
【００４１】
浴槽１における波返し縁７の作用について説明する。長手凸部４１より上において、上昇する水の流れは、波返し縁７に当たって下方に向きを変えられる（図１０の矢印Ａ６）。このため、浴槽内の水が浴槽外に流出し難くなる。
【００４２】
同様に、短手凸部４２の張出面４２ｃ表面付近の水は、張出面４２ｃに沿って上昇する（図６参照）。短手凸部４２より上において、水の流れは、波返し縁７に当たって下方に向きを変えられる。このため、浴槽内の水が浴槽外に流出し難くなる。
【００４３】
浴槽１における消波壁５の作用について説明する。図１１に示すように、消波壁５の貫通孔５１を通過した水（矢印Ａ７、Ａ８、Ａ９）は、第２短手面３３との間でぶつかり合うので、水の運動エネルギーが消耗する。また、消波壁５を越えた波（矢印Ａ１０）は、第２短手面３３に沿って上昇する水面（矢印Ａ１１）を上から抑え込む。また、第２短手面３３に沿って流れる水流を、消波壁５の第２短手面３３との間に千鳥に配置した筒部５２が阻害することで水流のエネルギーを消耗させ、上方の流れを抑制する（矢印Ａ１２、Ａ１３、Ａ１４）。なお、複数の筒部５２の長さを同一でないように設定することにより、筒部５２を通過したの流れがランダムとなり、水流のエネルギーが一層消耗する。このため、浴槽内の水が浴槽外に流出し難くなる。
【００４４】
第１短手面３２の短手凸部４２は、略三角形の断面形状を有するので、略四角形の断面形状を有する長手凸部４１よりは若干効果が低いと考えられるが、第２短手面３３と対向して消波壁５を設けることにより、長手方向（図２の左右方向）の浴槽１の振動に対して、浴槽内の水が動きがいっそう抑制される。
【００４５】
浴槽１における板状部材６（波返し蓋）の作用について説明する。板状部材６は、第２短手面３３に沿って上昇する水を抑え込むので（図１１の矢印Ａ１５）、浴槽内の水が浴槽外に流出し難くなる。
【００４６】
浴槽１を鉄道車両に搭載した場合の凸部４の効果を評価するため、実際の鉄道車両（キハ１８９系気動車）の走行時に得られた振動データに基づき、地上試験機で鉄道車両の振動を再現して評価した。
【００４７】
比較例として、凸部４が無い浴槽を作成した。
【実施例１】
【００４８】
実施例１として、前述した実施形態と同じ１列の凸部４を有する浴槽を作成した。
【実施例２】
【００４９】
実施例２として、上下２列の凸部４を有する浴槽を作成した。
【００５０】
比較例、実施例１及び実施例２の浴槽を並べて地上試験機に載せた。各浴槽に水を張り、その水に浮きを浮かべた。浮きは、浴槽内の水の動揺を確認するためのものである。
【００５１】
比較例、実施例１及び実施例２の浴槽を地上試験機で加振した。実施例１の浴槽が最も水の動揺が小さく、加振をやめた後の水の動揺が早く収束した。つまり、実施例１の浴槽の凸部４の効果が確認できた。
【００５２】
２列の凸部４を有する実施例２の浴槽の方が、１列の凸部４を有する実施例１の浴槽よりも加振時の水の動揺が大きかった。これは、実施例２において、上下２列の凸部４の間の水がほとんど動かずに、上下幅が大きな１列の仮想的な凸部と同様の状態になったためと考えられる。
【００５３】
なお、本発明は、上記の実施形態の構成に限られず、発明の要旨を変更しない範囲で種々の変形が可能である。例えば、浴槽１における凸部４以外の内側面３は、鉛直であってもよい。
【符号の説明】
【００５４】
１  浴槽
２  底面
３  内側面
３１  長手面
３２  第１短手面
３３  第２短手面
４  凸部
４１  長手凸部
４１ａ  凸部下面
４１ｂ  凸部上面
４１ｃ  張出面
４１ｄ  漸狭部
４２  短手凸部
４２ａ  凸部下面
４２ｃ  張出面
５  消波壁
５１  貫通孔
５２  筒部
６  板状部材
７  波返し縁
【図１】
2018121703.tif 000003
【図２】
2018121703.tif 000004
【図３】
2018121703.tif 000005
【図４】
2018121703.tif 000006
【図５】
2018121703.tif 000007
【図６】
2018121703.tif 000008
【図７】
2018121703.tif 000009
【図８】
2018121703.tif 000010
【図９】
2018121703.tif 000011
【図１０】
2018121703.tif 000012
【図１１】
2018121703.tif 000013
【図１２】
2018121703.tif 000014
【図１３】
2018121703.tif 000015